(57)【要約】【課題】ユーザに煩わしさを与えずに、中断したコンテンツの続きを取得できるダウンロードシステム及びダウンロード方法を提供する。【解決手段】ダウンロードシステム１は、主の携帯端末２０で取得の中断したコンテンツを副の携帯端末３０に取得させる。副の携帯端末３０は、コンテンツ記録可否情報を含む端末情報を主の携帯端末に送信する端末情報送信部３８ｂと、配信端末からコンテンツを取得可能なダウンロード部３８ｆとを備え、主の携帯端末２０は、コンテンツ記録可否情報を含む端末情報に基づき、副の携帯端末がバックアップ先として妥当であると判断された場合、取得の中断したコンテンツを副の携帯端末で取得する旨を決定する取得端末決定部２８ｃと、主の携帯端末でコンテンツの取得が中断した場合に、副の携帯端末がバックアップ先である旨の情報を配信端末に通知する情報通知部２８ｅとを備える。【選択図】図３
2013196666.tif 000002
【特許請求の範囲】
【請求項１】
コンテンツを記録している配信端末と、ネットワークを介して前記配信端末に通信可能な複数の携帯端末とからなり、主の携帯端末で取得の中断したコンテンツを副の携帯端末に取得させるダウンロードシステムであって、
前記副の携帯端末は、コンテンツ記録可否情報を含む端末情報を前記主の携帯端末に送信する端末情報送信部と、前記配信端末からコンテンツを取得可能に構成され、該コンテンツを記録させるダウンロード部とを備え、
前記主の携帯端末は、前記コンテンツ記録可否情報を含む端末情報を前記副の携帯端末から受信する端末情報受信部と、前記コンテンツ記録可否情報を含む端末情報に基づき、前記副の携帯端末がバックアップ先として妥当であると判断された場合、前記取得の中断したコンテンツを前記副の携帯端末で取得する旨を決定する取得端末決定部と、前記主の携帯端末でコンテンツの取得が中断した場合に、前記副の携帯端末がバックアップ先である旨の情報を前記配信端末に通知する情報通知部とを備え、
前記副の携帯端末の前記ダウンロード部は、前記主の携帯端末で取得の中断した前記コンテンツを前記配信端末から取得することを特徴とするダウンロードシステム。
【請求項２】
請求項１に記載のダウンロードシステムであって、
前記情報通知部は、前記コンテンツ記録可否情報を含む端末情報を、前記副の携帯端末がバックアップ先である旨の情報として前記配信端末に通知することを特徴とするダウンロードシステム。
【請求項３】
請求項１に記載のダウンロードシステムであって、
前記情報通知部は、前記副の携帯端末がバックアップ先である旨の情報として前記コンテンツ記録可否情報を含む端末情報を、及び前記取得の中断したコンテンツの取得を再開するために必要な中断情報を前記配信端末に通知することを特徴とするダウンロードシステム。
【請求項４】
請求項１に記載のダウンロードシステムであって、
前記情報通知部は、前記取得の中断したコンテンツの取得を再開するために必要な中断情報を、決定した前記副の携帯端末に通知し、
該副の携帯端末は、前記中断情報を前記主の携帯端末から受信する中断情報受信部を有し、前記副の携帯端末の前記端末情報送信部が、前記中断情報受信部で受信した前記中断情報に基づいて、前記コンテンツ取得の要求信号を、前記副の携帯端末がバックアップ先である旨の情報として前記配信端末に配信することを特徴とするダウンロードシステム。
【請求項５】
請求項１〜４のいずれか１項に記載のダウンロードシステムであって、
前記主の携帯端末は、前記コンテンツの中断地点まで再生し、前記副の携帯端末は、前記配信端末から取得したコンテンツを前記主の携帯端末に配信し、該主の携帯端末にて前記副の携帯端末から受信した前記中断地点からの前記コンテンツを再生させることを特徴とするダウンロードシステム。
【請求項６】
コンテンツを記録している配信端末と、ネットワークを介して前記配信端末に通信可能な複数の携帯端末とからなり、主の携帯端末で取得の中断したコンテンツを副の携帯端末に取得させるダウンロード方法であって、
前記副の携帯端末にて、コンテンツ記録可否情報を含む端末情報を前記主の携帯端末に送信するステップと、
該主の携帯端末にて、前記コンテンツ記録可否情報を含む端末情報を前記副の携帯端末から受信するステップと、
前記主の携帯端末にて、前記コンテンツ記録可否情報を含む端末情報に基づき、前記副の携帯端末がバックアップ先として妥当であると判断された場合、前記取得の中断したコンテンツを前記副の携帯端末で取得する旨を決定するステップと、
前記主の携帯端末でコンテンツの取得が中断した場合に、前記副の携帯端末がバックアップ先である旨の情報を前記配信端末に通知するステップと、
前記副の携帯端末にて、前記主の携帯端末で取得の中断した前記コンテンツを前記配信端末から取得するステップと、
前記主の携帯端末にて、前記コンテンツの中断地点まで再生するステップと、
前記副の携帯端末にて、前記配信端末から取得したコンテンツを前記主の携帯端末に送信するステップと、
前記主の携帯端末にて、前記副の携帯端末から受信した前記中断地点からの前記コンテンツを再生するステップと
を含むことを特徴とするダウンロード方法。
【発明の詳細な説明】
【技術分野】
【０００１】
本発明は、ダウンロードシステム及びダウンロード方法に関し、詳細には、コンテンツを記録している配信端末と、ネットワークを介して前記配信端末に通信可能な複数の携帯端末とからなり、主の携帯端末で取得の中断したコンテンツを主の携帯端末に近接配置した副の携帯端末に取得させるダウンロードシステム及びダウンロード方法に関する。
【背景技術】
【０００２】
インターネットなどのネットワーク回線の高速化に伴い、配信端末からは映像、音楽やゲーム等の様々なコンテンツが携帯端末に配信され、携帯端末内に速やかに保存（持ち出し転送とも言う）できるようになっている。ユーザは、例えば、映画等の動画のコンテンツを自身の携帯端末にダウンロードすれば、その映画を携帯端末の画面で視聴することができる。
一方、仮に、ネットワーク回線の遮断等によって取得が中断した場合、コンテンツの続きを取得するには、取得を再開する必要がある。
【０００３】
そこで、例えば、特許文献１には、ダウンロードの中断と再開の互換性を高める技術が提案されている。特許文献１に記載の発明は、記憶媒体が携帯端末に着脱可能に構成されており、この記憶媒体へのコンテンツの取得が中断した場合、取得の再開情報を記憶媒体に記録しておき、この再開情報を用いて取得を再開するものである。
【先行技術文献】
【特許文献】
【０００４】
【特許文献１】特開２００８−０７１３０４号公報
【発明の概要】
【発明が解決しようとする課題】
【０００５】
しかしながら、特許文献１の取得の再開は、その再開情報を記録した記憶媒体を別の携帯端末に取り付けた後に行われる。このため、コンテンツの取得が中断した場合、その再開情報を記録した記憶媒体を別の携帯端末に載せ替えない限り、コンテンツの続きを取得できないという問題がある。また、この記憶媒体の載せ替えはユーザに煩わしさを与える。
【０００６】
本発明は、上述の如き実情に鑑みてなされたもので、ユーザに煩わしさを与えずに、コンテンツの続きを取得できるダウンロードシステム及びダウンロード方法を提供することを目的とする。
【課題を解決するための手段】
【０００７】
上記課題を解決するために、本発明の第１の技術手段は、コンテンツを記録している配信端末と、ネットワークを介して前記配信端末に通信可能な複数の携帯端末とからなり、主の携帯端末で取得の中断したコンテンツを副の携帯端末に取得させるダウンロードシステムであって、前記副の携帯端末は、コンテンツ記録可否情報を含む端末情報を前記主の携帯端末に送信する端末情報送信部と、前記配信端末からコンテンツを取得可能に構成され、該コンテンツを記録させるダウンロード部とを備え、前記主の携帯端末は、前記コンテンツ記録可否情報を含む端末情報を前記副の携帯端末から受信する端末情報受信部と、前記コンテンツ記録可否情報を含む端末情報に基づき、前記副の携帯端末がバックアップ先として妥当であると判断された場合、前記取得の中断したコンテンツを前記副の携帯端末で取得する旨を決定する取得端末決定部と、前記主の携帯端末でコンテンツの取得が中断した場合に、前記副の携帯端末がバックアップ先である旨の情報を前記配信端末に通知する情報通知部とを備え、前記副の携帯端末の前記ダウンロード部は、前記主の携帯端末で取得の中断した前記コンテンツを前記配信端末から取得することを特徴とするダウンロードシステムである。
【０００８】
第２の技術手段は、第１の技術手段において、前記情報通知部は、前記コンテンツ記録可否情報を含む端末情報を、前記副の携帯端末がバックアップ先である旨の情報として前記配信端末に通知することを特徴とするものである。
【０００９】
第３の技術手段は、第１の技術手段において、前記情報通知部は、前記副の携帯端末がバックアップ先である旨の情報として前記コンテンツ記録可否情報を含む端末情報を、及び前記取得の中断したコンテンツの取得を再開するために必要な中断情報を前記配信端末に通知することを特徴とするものである。
【００１０】
第４の技術手段は、第１の技術手段において、前記情報通知部は、前記取得の中断したコンテンツの取得を再開するために必要な中断情報を、決定した前記副の携帯端末に通知し、該副の携帯端末は、前記中断情報を前記主の携帯端末から受信する中断情報受信部を有し、前記副の携帯端末の前記端末情報送信部が、前記中断情報受信部で受信した前記中断情報に基づいて、前記コンテンツ取得の要求信号を、前記副の携帯端末がバックアップ先である旨の情報として前記配信端末に配信することを特徴とするものである。
【００１１】
第５の技術手段は、第１〜４のいずれか１の技術手段において、前記主の携帯端末は、前記コンテンツの中断地点まで再生し、前記副の携帯端末は、前記配信端末から取得したコンテンツを前記主の携帯端末に配信し、該主の携帯端末にて前記副の携帯端末から受信した前記中断地点からの前記コンテンツを再生させることを特徴とするものである。
【００１２】
第６の技術手段は、コンテンツを記録している配信端末と、ネットワークを介して前記配信端末に通信可能な複数の携帯端末とからなり、主の携帯端末で取得の中断したコンテンツを副の携帯端末に取得させるダウンロード方法であって、前記副の携帯端末にて、コンテンツ記録可否情報を含む端末情報を前記主の携帯端末に送信するステップと、該主の携帯端末にて、前記コンテンツ記録可否情報を含む端末情報を前記副の携帯端末から受信するステップと、前記主の携帯端末にて、前記コンテンツ記録可否情報を含む端末情報に基づき、前記副の携帯端末がバックアップ先として妥当であると判断された場合、前記取得の中断したコンテンツを前記副の携帯端末で取得する旨を決定するステップと、前記主の携帯端末でコンテンツの取得が中断した場合に、前記副の携帯端末がバックアップ先である旨の情報を前記配信端末に通知するステップと、前記副の携帯端末にて、前記主の携帯端末で取得の中断した前記コンテンツを前記配信端末から取得するステップと、前記主の携帯端末にて、前記コンテンツの中断地点まで再生するステップと、前記副の携帯端末にて、前記配信端末から取得したコンテンツを前記主の携帯端末に送信するステップと、前記主の携帯端末にて、前記副の携帯端末から受信した前記中断地点からの前記コンテンツを再生するステップとを含むことを特徴とするものである。
【発明の効果】
【００１３】
本発明によれば、主の携帯端末は副の携帯端末がバックアップ先である旨の情報を通知し、配信端末は副の携帯端末にコンテンツを送るようになっている。よって、仮に、主の携帯端末にてコンテンツのダウンロードがユーザの意図なしに中断しても、配信端末が、副の携帯端末にそのコンテンツを配信可能になるため、主の携帯端末は、副の携帯端末によって配信端末から配信されたコンテンツの続きを取得できる。また、従来のような記憶媒体の載せ替えが不要になり、ユーザに煩わしさを与えずに済む。
【図面の簡単な説明】
【００１４】
【図１】本発明によるダウンロードシステムの構成図である。
【図２】本発明による配信端末の構成図である。
【図３】本発明による携帯端末の構成図である。
【図４】本発明の第１の実施例によるコンテンツ取得処理のシーケンス図である。
【図５】本発明の第１の実施例によるコンテンツ取得処理のシーケンス図である。
【図６】本発明によるコンテンツ再生処理のシーケンス図である。
【図７】本発明の第２の実施例によるコンテンツ取得処理のシーケンス図である。
【図８】本発明の第３の実施例によるコンテンツ取得処理のシーケンス図である。
【発明を実施するための形態】
【００１５】
以下、図面を参照しながら本発明のダウンロードシステムについて説明する。図１は、本発明によるダウンロードシステムの構成図である。ダウンロードシステム１は、ネットワーク２、アクセスポイント３、配信端末１０、複数台の携帯端末２０，３０から構成される。配信端末１０は、ユーザに提供するコンテンツを保持し、ネットワーク２を介して主の携帯端末２０や副の携帯端末３０にコンテンツを配信することができる。
【００１６】
主や副の携帯端末２０，３０は、例えば、携帯電話機やタブレット端末などであり、コンテンツの提供を受けるユーザ側に所持される。また、各携帯端末２０，３０は、互いに近接配置されており、ユーザの居室や公共施設等に設置されたアクセスポイント３を中継点として配信端末１０に接続される。なお、以下のコンテンツとして、映画等の動画を例に挙げて説明するが、本発明のコンテンツは、動画コンテンツに限定されず、また、静止画、音楽、若しくは音声、又はゲーム等、ユーザ所望の様々なコンテンツ情報が該当する。
【００１７】
図２は、本発明による配信端末の構成図である。配信端末１０は、例えば、ユーザの居室に設置されたレコーダ機器であり、通信部１１、操作部１２、記録部１３、一時記憶部１４、記憶部１５、再生部１６、制御部１７等からなり、制御部１７は、コンテンツ配信部１７ａ、コンテンツ情報配信部１７ｂを備えている。
制御部１７は、例えば、中央処理装置（Central Processing Unit）により実現され、通信部１１を介して主の携帯端末２０や副の携帯端末３０との間で信号を送受信可能である。
【００１８】
配信端末１０は、通信部１１を介して、例えば、イーサネット(登録商標)のような有線通信によってネットワーク２に接続されるが、無線通信を用いてネットワーク２に接続されていてもよい。
操作部１２は、配信端末１０の正面に設置された操作ボタンや、配信端末１０のリモコン装置が該当し、配信端末１０の操作に用いられる。
記録部１３は、例えば、ＨＤＤなどの磁気ディスクやＳＳＤなどのフラッシュメモリで構成され、ユーザ所望の動画を録画することができる。なお、ＳＤカードやメモリカードのようなリムーバブルメディアであってもよい。
【００１９】
一時記憶部１４は、例えば、ＤＲＡＭ（Dynamic Random Access Memory）などの半導体メモリにて構成され、記憶部１５は、フラッシュメモリなどの不揮発性メモリによって構成されており、配信端末１０の動作に関するプログラム等を格納できる。
再生部１６は、仮に、アンテナやネットワーク２等を介して受信したコンテンツがあった場合には、デコード処理して映像・音声の信号を同期させ、接続されたテレビジョン受信装置（図示省略）に出力する。
【００２０】
また、制御部１７は、コンテンツ配信部１７ａ及びコンテンツ情報配信部１７ｂを有する。コンテンツ配信部１７ａは、主の携帯端末２０や副の携帯端末３０からのコンテンツ取得の要求信号に応じて、該当のコンテンツを主の携帯端末２０や副の携帯端末３０に配信する。
コンテンツ情報配信部１７ｂは、主の携帯端末２０や副の携帯端末３０からコンテンツ取得の要求信号を受信すると、該当コンテンツのコンテンツ情報を主の携帯端末２０や副の携帯端末３０に配信する。このコンテンツ情報には、コンテンツを識別するコンテンツＩＤ、録画した番組名等のコンテンツタイトル、その再生時間の長さを示すコンテンツ時間長、バイト長を示すコンテンツサイズ、コンテンツの位置情報を示すＵＲＬや、対応コンテンツフォーマットが含まれる。
【００２１】
この対応コンテンツフォーマットには、ビデオコーディックが、例えば、ＭＰＥＧ２やＡＶＣでＴＳ形式のコンテンツである旨等、コンテンツの対応するフォーマット情報が示されている。
なお、この図２の例では、記録部１３を有する配信端末１０の例を挙げて説明しているが、本発明の配信端末は、必ずしも記録部１３を備える必要はなく、放送番組を配信する配信機器であってもよい。
【００２２】
図３は、本発明による携帯端末の構成図で、図３（Ａ）が主の携帯端末２０を、図３（Ｂ）が副の携帯端末３０を示しているが、これらは同一構造で構成され、各携帯端末２０，３０は、コンテンツの取得の中断状況に応じていずれもバックアップ先に選択可能である。なお、コンテンツの取得の中断とは、ユーザが意図していないダウンロードの中断が該当し、ネットワークの切断、携帯端末の電源ＳＷのオフや携帯端末での着呼などの端末状態変化の他、携帯端末内の記憶容量不足などがある。
【００２３】
図３において、２１，３１は通信部、２２，３２は入力部、２３，３３は記録部、２４，３４は一時記憶部、２５，３５は記憶部、２６，３６は表示部、２７，３７は再生部、２８，３８は制御部であり、制御部２８，３８において、２８ａ，３８ａは端末情報受信部、２８ｂ，３８ｂは端末情報送信部、２８ｃ，３８ｃは取得端末決定部、２８ｄ，３８ｄは中断情報受信部、２８ｅ，３８ｅは情報通知部、２８ｆ，３８ｆはダウンロード部である。
制御部２８，３８は、例えば、中央処理装置（Central Processing Unit）により実現され、通信部２１，３１を介して配信端末１０との間で信号を送受信可能である。
【００２４】
通信部２１，３１は、例えば、802.11a/b/g/nといった無線ＬＡＮやＢｌｕｅｔｏｏｔｈ（登録商標）、赤外線などの無線通信を用いてアクセスポイント３に接続可能に構成されるが、有線通信によってネットワーク２に接続することもできる。
入力部２２，３２は、例えば、液晶のディスプレイで構成された表示部２６，３６の外側に設置されたハードウェアのキーボード、あるいは表示部２６，３６に設置されたソフトウェアのキーボードであり、各携帯端末２０，３０の操作に用いられる。
【００２５】
記録部２３，３３は、例えば、ＳＤカードのようなリムーバブルメディアで構成され、受信したコンテンツを記録することができる。一時記憶部２４，３４は、例えば、半導体メモリにて構成され、記憶部２５，３５は、不揮発性メモリによって構成され、各携帯端末２０，３０の動作に関するプログラム等を格納できる。
再生部２７，３７は、配信端末１０などから受信したコンテンツをデコード処理し、映像・音声の信号を同期させて表示部２６，３６に出力している。ダウンロード部２８ｆ，３８ｆは、通信部２１，３１を介して配信端末１０などから取得したコンテンツを記憶部２５，３５に記録する。
【００２６】
端末情報送信部２８ｂ，３８ｂは、コンテンツ記録可否情報を含む端末情報を、配信端末や他の携帯端末に向けて配信する。コンテンツ記録可否情報は、配信端末１０のモデル名あるいはユーザが設定した名称であるサーバ名、配信端末１０を識別するサーバＩＤ、配信端末１０によるコンテンツの配信・記録機能の有無を示すサーバ能力や、対応コンテンツフォーマットである。
【００２７】
端末情報受信部２８ａ，３８ａは、コンテンツ記録可否情報を含む端末情報を他の携帯端末から受信する。
ここで、主の携帯端末２０で取得の中断したコンテンツを副の携帯端末３０に取得させる場合を想定すると、例えば、主の携帯端末２０がコンテンツ記録可否情報の取得を副の携帯端末３０に要求し、端末情報送信部３８ｂは、このコンテンツ記録可否情報を含む端末情報を主の携帯端末２０に配信し、端末情報受信部２８ａで受信される。
【００２８】
取得端末決定部２８ｃ，３８ｃは、コンテンツ記録可否情報を含む端末情報に基づき、取得の中断したコンテンツをどの携帯端末で取得するかを選ぶ機能を有する。上記例で言えば、主の携帯端末２０の取得端末決定部２８ｃは、副の携帯端末３０からのコンテンツ記録可否情報を含む端末情報を用い、例えば、副の携帯端末３０の対応コンテンツがダウンロードしたいコンテンツに合致しており、副の携帯端末３０で配信端末１０からのコンテンツを記録でき、この副の携帯端末３０がバックアップ先として妥当であると判断された場合、この副の携帯端末３０で配信端末１０からのコンテンツを取得する旨を決定する。なお、ユーザがどの携帯端末で取得するかを決定することも可能である。
中断情報受信部２８ｄ，３８ｄは、コンテンツの取得が中断した場合に、中断情報を取得できる。上記例で言えば、中断情報受信部３８ｄが中断情報を主の携帯端末２０から受信する。中断情報とは、取得の中断したコンテンツのダウンロードを再開するために必要な情報であり、コンテンツ情報配信部１７ｂからの上記コンテンツ情報に、例えば、中断地点のコンテンツの再生時間を示す中断地点時間や、中断地点のコンテンツのバイト長を示す中断地点サイズが追加される。
【００２９】
情報通知部２８ｅ，３８ｅは、いずれかの携帯端末でコンテンツの取得が中断した場合には、どの携帯端末がバックアップ先である旨の情報を配信端末１０で受け取れるように通知する機能を有している。上記例で言えば、情報通知部２８ｅが中断情報通知部の役割を担い、主の携帯端末２０でコンテンツの取得が中断した場合、上記中断情報を、まず、取得端末決定部２８ｃで決定し、副の携帯端末３０に通知する。そして、副の携帯端末３０の端末情報送信部３８ｂは、中断情報受信部３８ｄが主の携帯端末２０からの中断情報を受信すると、コンテンツ取得の要求信号を配信端末１０に配信する。
【００３０】
図４及び図５は、本発明の第１の実施例によるコンテンツ取得処理のシーケンス図である。上述のように、主の携帯端末２０で取得の中断したコンテンツを副の携帯端末３０に取得させる場合を想定している。
まず、主の携帯端末２０がコンテンツ情報を配信端末１０に要求する（図４のステップＳ１００）。この要求を配信端末１０が受信すると（ステップＳ１０１のＹＥＳ）、コンテンツ情報配信部１７ｂはコンテンツ情報を主の携帯端末２０に配信する（ステップＳ１０２）。
【００３１】
次に、主の携帯端末２０がコンテンツ記録可否情報の取得を要求し（ステップＳ１０３）、この情報を副の携帯端末３０が受信すると（ステップＳ１０４のＹＥＳ）、端末情報送信部３８ｂがコンテンツ記録可否情報を含む端末情報を主の携帯端末２０に配信する（ステップＳ１０５）。
主の携帯端末２０では、端末情報受信部２８ａが副の携帯端末３０からの端末情報を受信し、配信端末１０のコンテンツを記録できる端末が存在する旨を判定した場合（ステップＳ１０６のＹＥＳ）、取得端末決定部２８ｃは副の携帯端末３０を決定する。
【００３２】
また、主の携帯端末２０がコンテンツの取得を配信端末１０に要求し（図５のステップＳ１０７）、この要求を配信端末１０が受信すると（ステップＳ１０８のＹＥＳ）、配信端末１０では、コンテンツ配信部１７ａが該当のコンテンツを主の携帯端末２０に配信し（ステップＳ１０９）、主の携帯端末２０のダウンロード部２８ｆは配信されたコンテンツを記録部２３に記録する（ステップＳ１１０）。
ここで、例えば、主の携帯端末２０に着呼があり、主の携帯端末２０において、コンテンツの取得がユーザの意図なしに中断した場合（ステップＳ１１１のＹＥＳ）、主の携帯端末２０は中断を判定し、情報通知部２８ｅは、取得の中断したコンテンツの取得を再開するために必要な中断情報を副の携帯端末３０に通知する（ステップＳ１１２）。また、主の携帯端末２０は、副の携帯端末３０の識別情報を記録部２３に記憶する。
【００３３】
これに対し、副の携帯端末３０では、中断情報受信部３８ｄがこの中断通知を受信すると（ステップＳ１１３のＹＥＳ）、端末情報送信部３８ｂは、コンテンツ取得の要求信号を配信端末１０に送信する（ステップＳ１１４）。
この副の携帯端末３０からの要求信号を配信端末１０が受信すると（ステップＳ１１５のＹＥＳ）、コンテンツ配信部１７ａは、主の携帯端末２０で中断したコンテンツを副の携帯端末３０に配信する（ステップＳ１１６）。これにより、副の携帯端末３０のダウンロード部３８ｆは、主の携帯端末２０で取得の中断したコンテンツを、例えば、途中から記録部３３に記録する（ステップＳ１１７）。なお、ダウンロード部３８ｆは、主の携帯端末２０で取得の中断したコンテンツを最初から記録部３３に記録することもできる。
【００３４】
このように、主の携帯端末２０は、コンテンツ記録可否情報を含む端末情報を受信し（図４のステップＳ１０５）、副の携帯端末３０にて配信端末１０のコンテンツを記録できる旨を決定しており（図４のステップＳ１０６）、主の携帯端末２０においてバックアップ先判断が可能になる。また、主の携帯端末２０は、着呼を検知することにより、コンテンツの取得の中断判断が可能になる（図５のステップＳ１１１）。そして、主の携帯端末２０が中断情報を副の携帯端末３０に通知し（図５のステップＳ１１２）、配信端末１０は、副の携帯端末３０からのコンテンツ取得の要求信号を、副の携帯端末３０がバックアップ先である旨の情報として受け取り（ステップＳ１１５のＹＥＳ）、ダウンロードの続きを副の携帯端末３０に引き継がせることができる。
【００３５】
図６は、本発明によるコンテンツ再生処理のシーケンス図である。
配信端末１０から動画のコンテンツを主の携帯端末２０に取得したユーザは、記録部２３に記録されたコンテンツを表示部２６に表示して視聴する（ステップＳ１２０）。
しかし、このコンテンツの取得は途中で中断されているため、中断地点まで再生すると（ステップＳ１２１のＹＥＳ）、例えば、副の携帯端末３０の識別情報を主の携帯端末２０の記録部２３から呼び出し、副の携帯端末３０にコンテンツ情報の取得を要求し（ステップＳ１２２）、この要求を副の携帯端末３０が受信すると（ステップＳ１２３のＹＥＳ）、コンテンツ情報取得応答を主の携帯端末２０に送信する（ステップＳ１２４）。
【００３６】
次に、主の携帯端末２０が副の携帯端末３０にコンテンツの取得を要求し（ステップＳ１２５）、この要求を副の携帯端末３０が受信すると（ステップＳ１２６のＹＥＳ）、副の携帯端末３０は、配信端末１０から取得した該当のコンテンツを主の携帯端末２０に送信する（ステップＳ１２７）。これにより、主の携帯端末２０のダウンロード部２８ｆは副の携帯端末３０からのコンテンツを記録部２３に記録することから（ステップＳ１２８）、主の携帯端末２０では、中断地点からこのコンテンツを再生させて表示部２６に表示することができる（ステップＳ１２９）。
【００３７】
このように、主の携帯端末２０によるコンテンツの再生が中断地点まで終了しても、近接配置した副の携帯端末３０で取得したコンテンツが主の携帯端末２０に配信され、続きのコンテンツの再生が主の携帯端末２０にて自動的に開始されるので、動画の見逃しを防止できる。また、従来のような記憶媒体の載せ替えが不要になり、ユーザに煩わしさを与えないシステムを提供できる。
なお、主の携帯端末２０でコンテンツを中断地点まで再生した後、副の携帯端末３０で続きのコンテンツを再生することも可能である。また、主の携帯端末２０は、中断地点まで取得したコンテンツの再生前に、ユーザに対して中断地点がある旨を通知する、あるいは、中断地点まで取得したコンテンツの再生中に、中断地点に近づいたらユーザに通知するようにしてもよい。
【００３８】
図７は、本発明の第２の実施例によるコンテンツ取得処理のシーケンス図である。
この例は、主の携帯端末２０の情報通知部２８ｅが中断情報通知部の役割を担うが、主の携帯端末２０でコンテンツの取得が中断した場合、この中断したコンテンツの取得を再開するために必要な中断情報に加え、副の携帯端末３０からのコンテンツ記録可否情報を含む端末情報を配信端末１０に直に通知する。このため、各携帯端末２０，３０は、上記中断情報受信部２８ｄ，３８ｄを有しない。
【００３９】
そして、図４のステップＳ１００からＳ１０６までは同じであり、また、図７のステップＳ２００からＳ２０４まで（図７のＡ−Ａ線まで）は図５のステップＳ１０７からＳ１１１まで（図５のＡ−Ａ線まで）と同じであるので詳細な説明を省略する。図７において、主の携帯端末２０での着呼があり、主の携帯端末２０において、コンテンツのダウンロードがユーザの意図なしに中断した場合（ステップＳ２０４のＹＥＳ）、主の携帯端末２０は中断を判定し、情報通知部２８ｅは、中断情報、及びコンテンツ記録可否情報を含む端末情報を配信端末１０に通知する（ステップＳ２０５）。副の携帯端末３０の識別情報は主の携帯端末２０の記録部２３に記憶される。
【００４０】
次に、この端末情報を配信端末１０が受信すると（ステップＳ２０６のＹＥＳ）、副の携帯端末３０の識別情報が配信端末１０の記録部１３に記憶され、主の携帯端末２０で中断したコンテンツを副の携帯端末３０に送信する（ステップＳ２０７）。副の携帯端末３０のダウンロード部３８ｆは、主の携帯端末２０で取得の中断したコンテンツを、例えば、途中から記録部３３に記録している（ステップＳ２０８）。なお、その後のコンテンツ再生処理は図６と同じである。
【００４１】
このように、主の携帯端末２０は、副の携帯端末３０がバックアップ先である旨の情報としてコンテンツ記録可否情報を含む端末情報を、及び中断情報を配信端末１０に通知しているので（ステップＳ２０５）、主の携帯端末２０がバックアップ先判断及び中断判断を行うことができる。したがって、配信端末１０は、主の携帯端末２０から中断判断を受け取れば、ダウンロードの続きを副の携帯端末３０に引き継がせることができる。
【００４２】
図８は、本発明の第３の実施例によるコンテンツ取得処理のシーケンス図である。
この例は、主の携帯端末２０の情報通知部２８ｅが端末情報通知部の役割を担っており、主の携帯端末２０でコンテンツの取得が中断した場合、副の携帯端末３０からのコンテンツ記録可否情報を含む端末情報を配信端末１０に直に通知する。このため、各携帯端末２０，３０は、上記中断情報受信部２８ｄ，３８ｄを有しない。
【００４３】
そして、図４のステップＳ１００からＳ１０６までは同じであるため詳細な説明を省略するが、主の携帯端末２０が副の携帯端末３０にて配信端末１０のコンテンツを記録できる旨を決定すると（図４のステップＳ１０６のＹＥＳ）、主の携帯端末２０は、例えば、コンテンツの取得を要求する前に、コンテンツ記録可否情報を含む端末情報を配信端末１０に通知しておき（図８のステップＳ３００）、副の携帯端末３０の識別情報は主の携帯端末２０の記録部２３に記録される。その後、主の携帯端末２０は、コンテンツの取得を配信端末１０に要求する（ステップＳ３０１）。
【００４４】
この要求を配信端末１０が受信すると（ステップＳ３０２のＹＥＳ）、副の携帯端末３０の識別情報が配信端末１０の記録部１３に記録され、配信端末１０は、該当のコンテンツを主の携帯端末２０に配信する（ステップＳ３０３）。主の携帯端末２０のダウンロード部２８ｆは配信されたコンテンツを記録部２３に記録する（ステップＳ３０４）。
ここで、例えば、主の携帯端末２０の電源ＳＷがオフになり、主の携帯端末２０において、コンテンツのダウンロードがユーザの意図なしに中断した場合（ステップＳ３０５のＹＥＳ）、配信端末１０は、例えば、主の携帯端末２０へ定期的に送信していた信号に対する応答が一定期間受信できない場合などにより、主の携帯端末２０での取得の中断を判定する（ステップＳ３０６のＹＥＳ）。これにより、配信端末１０は、主の携帯端末２０で中断したコンテンツを副の携帯端末３０に配信し（ステップＳ３０７）、副の携帯端末３０のダウンロード部３８ｆは、主の携帯端末２０で取得の中断したコンテンツを、例えば、途中から記録部３３に記録している（ステップＳ３０８）。なお、その後のコンテンツ再生処理は図６と同じである。
【００４５】
このように、配信端末１０には、コンテンツ記録可否情報を含む端末情報を、副の携帯端末３０がバックアップ先である旨の情報として主の携帯端末２０から通知されており（ステップＳ３００）、配信端末１０がバックアップ先判断を行うことが可能になる。よって、配信端末１０は、主の携帯端末２０の中断を検出すると、ダウンロードの続きを副の携帯端末３０に速やかに引き継がせることができる。
また、この図８の例によれば、配信端末１０が主の携帯端末２０の中断を判定するので、仮に、主の携帯端末２０の中断理由がネットワークの切断や電源ＳＷのオフ作動の場合のような、主の携帯端末２０が中断情報などを副の携帯端末３０や配信端末１０に送信できない状態であっても、対応することができる。
【００４６】
なお、上記実施例では、主の携帯端末２０の中断を、主の携帯端末２０あるいは配信端末１０で判定する例を挙げて説明したが、副の携帯端末３０で判定することも可能である。具体的には、主の携帯端末２０が、例えば、コンテンツを取得した旨の情報などを副の携帯端末３０へ定期的に送信しておき、副の携帯端末３０がこの情報を一定期間受信できない場合などに、副の携帯端末３０が、主の携帯端末２０での取得の中断を判定することもできる。なお、主の携帯端末２０が、チャプターリストに基づき、各チャプターのダウンロードが完了する度に副の携帯端末３０に送信しておき、副の携帯端末３０における主の携帯端末２０の中断判定に用いてもよい。
【符号の説明】
【００４７】
１…ダウンロードシステム、２…ネットワーク、３…アクセスポイント、１０…配信端末、１１…通信部、１２…操作部、１３…記録部、１４…一時記憶部、１５…記憶部、１６…再生部、１７…制御部、１７ａ…コンテンツ配信部、１７ｂ…コンテンツ情報配信部、２０…主の携帯端末、３０…副の携帯端末、２１，３１…通信部、２２，３２…入力部、２３，３３…記録部、２４，３４…一時記憶部、２５，３５…記憶部、２６，３６…表示部、２７，３７…再生部、２８，３８…制御部、２８ａ，３８ａ…端末情報受信部、２８ｂ，３８ｂ…端末情報送信部、２８ｃ，３８ｃ…取得端末決定部、２８ｄ，３８ｄ…中断情報受信部、２８ｅ，３８ｅ…情報通知部、２８ｆ，３８ｆ…ダウンロード部。
【図１】
2013196666.tif 000003
【図２】
2013196666.tif 000004
【図３】
2013196666.tif 000005
【図４】
2013196666.tif 000006
【図５】
2013196666.tif 000007
【図６】
2013196666.tif 000008
【図７】
2013196666.tif 000009
【図８】
2013196666.tif 000010